(57)【要約】【課題】タイプのダウンライトのコネクターの口金を既設のダウンライト用ソケットに取り付ける際の金属端子の破損を防止できるコネクターの構造を提供する。【解決手段】節電タイプのダウンライト用ソケットのコネクターの口金の基部に、且つ、コネクターの台座上の口金の過剰なねじ込みを防止するためのリングを取り付けたことによって解決した。　このリングは、台座と同様に、ランプの発熱によっても軟化せず、絶縁性を有するプラスチック材製とし、リングの内面には、コネクターの口金の外面と同じピッチを持つ雌ネジ構造とし、その螺合によってリングを固定し、取り付けた後のリング脱落しないようにする。【選択図】　　図４
2004022420.tif 000002
【特許請求の範囲】
【請求項１】
既設のダウンライトのソケットに取り付けられる節電用ダウンライトのためのソケットであって、
既設のダウンライトのソケットの内面のネジ山と螺合する雌ねじを有する口金部を有するコネクターを有し、
このコネクターの口金部に、コネクターの口金の過剰なねじ込みを防止するためのリングを取り付けたことを特徴とする節電用ダウンライトのためのソケット。
【発明の詳細な説明】
【０００１】
【発明の属する技術分野】
本発明は、建屋の天井に埋め込まれて設置され下方の床面を照明するダウンライトとくに節電タイプのダウンライトに関する。
【０００２】
【従来の技術】
本願の出願人は、先に、特願２００１−３４２４９９号出願において、天井を改装することなく、既設のダウンライト設備の本体をそのまま利用して取り付けるので利用して取り付けることのできる節電タイプのダウンライトを開示した。
【０００３】
図５は、この節電タイプのダウンライトの構成部材を断面によって示すもので、ランプの光を反射させる反射板１と、反射板１の基部に取り付けられたコネクター４と、このコネクター４の上面に取り付けられた口金２と、コネクター４の台に装着される節電型メタルハライドランプ３を備えている。そして、これらの部材は、その組立図を示す図６のように、既設のダウンライトＡの開口部に固定されている固定反射板Ｂの内側に収まるように装着される。
【０００４】
このような装着に際して使用されるコネクター４としては、特開２００２−１０９９１１号公報に記載の構造を持つものが使用できる。このコネクターは、図５と図６に４として示されている。このコネクター４は、絶縁性の台座４１を有し、その台座４１の下面には、メタルハライドランプ３を取り付けるための差込み型のソケットの取り付け座４２を有し、また、その上面には、その先端に既設のダウンライトのネジ込み口金２が形成されている。
【０００５】
この構造を持つコネクター４を既設のダウンライトＡのソケットＣに取り付けるには、取り付け用の器具を用いて、コネクタのソケット２を回転させながら取り付ける。
【０００６】
節電タイプのダウンライトは、このような構造を有し、既設のダウンライトの本体をそのまま利用して取り付けることができるので、天井の改装工事の必要がなく、内装のイメージもそのまま維持でき、消費電力の小さいメタルハライドランプを使用するので、従来の水銀ランプを使用したダウンライトに比べて大幅に使用電力量を削減でき、さらには、内面を鏡面状とした反射板を使用することによって、消費電力の小さなランプで照度を現状維持できる。さらにランプの小型化と反射板の熱反射作用で従来のダウンライトよりも発熱量が減少し、建屋内の空調効率がよくなる等の効果を奏するものである。
【０００７】
【発明が解決しようとする課題】
ところが、コネクター４のネジ型の口金２の先端の接点２１を既設のダウンライトのソケットＣの内側の接点Ｄに確実に接触させるため、ネジ型のソケット２の長さは既設のダウンライトのソケットＣの長さより長く形成されている。このため、コネクターの口金２が過剰に回転すると、ネジ型口金の先端にある接続端子２１がソケットの内部にある金属端子Ｄと接触した後も、必要以上にコネクタを回転し過剰に差し込まれることになり、既設のソケット内の金属端子が破損し、照明器具やランプの落下の原因となり安全上問題を生じることがある。
本発明が解決しようとする課題は、従来の節電タイプのダウンライトのコネクターの口金を既設のダウンライト用ソケットに取り付ける際の金属端子の破損を防止できるコネクターの構造を提供することにある。
【０００８】
【課題を解決するための手段】
本発明は、前記発明の課題を節電タイプのダウンライト用ソケットのコネクターの口金の基部に、且つ、コネクターの台座上の口金の過剰なねじ込みを防止するためのリングを取り付けたことによって解決した。
【０００９】
このリングは、台座と同様に、ランプの発熱によっても軟化せず、絶縁性を有するプラスチック材製とし、リングの内面には、コネクターの口金の外面と同じピッチを持つ雌ネジ構造とし、その螺合によってリングを固定し、取り付けた後にリングが脱落しないようにする。
【００１０】
このリングの巾は、リングを固定したのちの口金の長さと既設のソケットの深さによって調節し、コネクターの口金を螺合挿入したとき、その先端の端子が既設ソケット内の端子に当たるようにする。そして、リングに弾性を持たせることによって、螺合を強くしても、口金の押し込み力が調整され、ソケットの端子が破壊することはなく、この口金先端と既設ソケット内の端子は確実に接触させることができる。
【００１１】
また、このリングは、内面のストッパーとリング本体を別体としても良いし、また、一体構造とすることもできる。
【００１２】
【発明の実施の形態】
本発明の実施の形態を図１〜図４に示す実施例によって説明する。
【００１３】
図１は本発明に係るリング５を示す。このリング５は、弾性があり、耐熱性で、熱によって変形しないプラスチック材、例えば、塩化ビニルで作られた本体５１と、装着されたリング本体５１を固定するために、内面に形成したネジ山５３を有するストッパ−部材５２から形成されている。
【００１４】
図２は、既設のダウンライトのソケットＣと、リング５と、節電用ソケットを形成するコネクター４の関連を示すもので、コネクター４の口金２の径に合わせて、リング５の内面のネジ山５３は形成されており、図３に示すように、リング５を回しながら、内面のネジ山５３をコネクター４の口金２と螺合しつつ装着する。
【００１５】
図４は、本発明に基づいてリング５をコネクター４の口金２の根元で、コネクターの台座４１上に装着したのち、既設のダウンライトのソケットＣ内に挿入固定した状態を示す。同図に示すように、リング５の本体５１の外径を既設のダウンライトのソケットＣの内径よりも大きくすることによって、コネクター４の口金２の回し過ぎが防止される。また、リング５のストッパー部５２の外径を既設のダウンライトのソケットＣの内径よりも小さくし、さらに、ストッパー部５２の高さを図３に示すように、既設のソケットＣと、その内部に配置された螺金Ｅとの空間を埋める高さとすることによって螺金Ｅを保護し、ソケットＣへのコネクター４の口金２の回り過ぎによる破損を完全に防止することができる。
【００１６】
そして、口金２の先端の接点２１を既設のソケットＣの接点と完全な接触状態とすることができる。
【００１７】
本発明は、口金の規格に関係なく、如何なるサイズのもの、大きさのものにも適用できるのは当然である。
【００１８】
【発明の効果】
本発明によって、節電型のダウンライトを既設のダウンライト用ソケットに確実に、且つ、安全に取り付けることができ、節電型のダウンライトの機能を充分に発揮できる。
【図面の簡単な説明】
【図１】本発明に係るリングの外観を示す。
【図２】本発明に係るリングを使用してのコネクターを既設のソケットに装着する部材を示す。
【図３】本発明に係るリングをコネクターの口金に装着する状態を示す。
【図４】本発明に係るリングを使用した節電用ダウンライトのためのソケットの構造を示す。
【図５】節電用ダウンライトの構成部材を示す。
【図６】節電用ダウンライトの構造を示す。
【符号の説明】
１　反射板　　２　口金　　２１　口金の接点
３　メタルハライドランプ　　４　コネクター　　４１　絶縁性の台座
５　リング　　５１　リング本体　　５２　ストッパ−部材
５３　内面のネジ山
Ａ　既設のダウンライト　　Ｂ　固定反射板　　Ｃ　ソケット
Ｄ　接点　　　Ｅ　螺金
【図１】
2004022420.tif 000003
【図２】
2004022420.tif 000004
【図３】
2004022420.tif 000005
【図４】
2004022420.tif 000006
【図５】
2004022420.tif 000007
【図６】
2004022420.tif 000008